(57)【特許請求の範囲】
【請求項１】
遊技媒体を貯留可能な受皿を備えた前面枠に、該前面枠を本体枠に対して回動自在に支持する蝶番装置と、該前面枠を閉止状態で維持可能な施錠装置と、を備える遊技機において、
前記前面枠は、
当該前面枠の上半部を構成する前面枠上部構成部材と、
当該前面枠の下半部を構成する前面枠下部構成部材と、
前記前面枠上部構成部材と前記前面枠下部構成部材とを突き合わせた状態で相互に結合する結合手段と、
を備え、
前記結合手段は、
前記前面枠裏面側の一方の側部に前記施錠装置を取り付けると共に、前記前面枠上部構成部材と前記前面枠下部構成部材とを上下に結合する第１結合部材と、
前記前面枠裏面側の他方の側部に前記蝶番装置を取り付けると共に、前記前面枠上部構成部材と前記前面枠下部構成部材とを上下に結合する第２結合部材と、
前記前面枠上部構成部材の裏面側にて、前記第１結合部材と前記第２結合部材とを相互に連結する第１連結部材と、
前記前面枠下部構成部材の前面側にて、前記第１結合部材と前記第２結合部材とを相互に連結する第２連結部材と、
を備え、
前記第１結合部材と前記第２結合部材とを前記前面枠上部構成部材と前記前面枠下部構成部材とに跨る状態で取り付け、
前記第１連結部材と前記第２連結部材とを前記第１結合部材と前記第２結合部材との間に架設し、
前記第１結合部材、前記第２結合部材、前記第１連結部材及び前記第２連結部材を互いの端部で連結させて矩形枠状に組むと共に、相互に電気伝導可能な状態で接続し、
前記第２連結部材は、前記受皿の奥側の起立面に取り付けられる起立面金属プレートにより構成され、
前記受皿には、当該受皿の底面を覆う断面略Ｌ字状の底面金属プレートが取り付けられ、
前記底面金属プレートの後端起立壁と前記起立面金属プレートとを当接させ、
この当接部分の左右両端を止着部材を介して、前記第１結合部材と前記第２結合部材との各々に導通状態で接続したことを特徴とする遊技機。
【発明の詳細な説明】
【０００１】
【発明の属する技術分野】
本発明は、遊技媒体を貯留可能な受皿を備えた前面枠に、該前面枠を本体枠に対して回動自在に支持する蝶番装置と、該前面枠を閉止状態で維持可能な施錠装置と、を備える遊技機に関する。
【０００２】
【従来の技術】
一般に、パチスロ遊技機等の遊技機には、本体枠に対して回動自在な状態で前面枠が取り付けられている。
前面枠は、例えば、合成樹脂製のベース部材に、遊技媒体を貯留可能な受皿、表示窓部を有する表示パネル等を組み付けて構成されており、表示パネルの背部（本体枠側）には、外周面に複数種類の図柄が表記された複数のリールが回転自在な状態で配置されている。各リールは、コイン等の遊技媒体を賭けた状態でスタートレバーが押圧されて所定時間経過するか、或いは対応するストップボタンの押圧により順次停止するようになっており、例えば、各リールが停止した状態において、表示窓部を通して視認可能な可変表示部における表示結果が、予め定められた特定の表示結果態様となった場合（例えば、有効ライン上の図柄が揃った場合など）には、該結果態様に応じて所要数の遊技媒体が遊技者に対して付与されるようになっている。
【０００３】
【発明が解決しようとする課題】
ところが、上記従来の遊技機では、コイン等から放出される静電気が原因で遊技機内部の制御装置や電気部品に誤作動や故障等の不具合が生じることがあった。
また、前面枠のベース部材が大きな部材であり、しかも複雑な形状をしていたので、その成形に多大なコストがかかるといった問題点があった。そして、それが前面枠の製造コストを押し上げる要因となっていた。
【０００４】
この発明は、上記実情に鑑みなされたもので、コイン等から放出される静電気を放電し易くして、遊技機内部の制御装置や電気部品に誤作動や故障等の不具合が生じることを低減可能であり、前面枠の製造コストを低減可能な遊技機を提供することを目的とする。
【０００５】
【課題を解決するための手段】
上記課題を解決するため、
請求項１記載の発明は、遊技媒体を貯留可能な受皿を備えた前面枠に、該前面枠を本体枠に対して回動自在に支持する蝶番装置と、該前面枠を閉止状態で維持可能な施錠装置と、を備える遊技機において、
前記前面枠は、
当該前面枠の上半部を構成する前面枠上部構成部材と、
当該前面枠の下半部を構成する前面枠下部構成部材と、
前記前面枠上部構成部材と前記前面枠下部構成部材とを突き合わせた状態で相互に結合する結合手段と、
を備え、
前記結合手段は、
前記前面枠裏面側の一方の側部に前記施錠装置を取り付けると共に、前記前面枠上部構成部材と前記前面枠下部構成部材とを上下に結合する第１結合部材と、
前記前面枠裏面側の他方の側部に前記蝶番装置を取り付けると共に、前記前面枠上部構成部材と前記前面枠下部構成部材とを上下に結合する第２結合部材と、
前記前面枠上部構成部材の裏面側にて、前記第１結合部材と前記第２結合部材とを相互に連結する第１連結部材と、
前記前面枠下部構成部材の前面側にて、前記第１結合部材と前記第２結合部材とを相互に連結する第２連結部材と、
を備え、
前記第１結合部材と前記第２結合部材とを前記前面枠上部構成部材と前記前面枠下部構成部材とに跨る状態で取り付け、
前記第１連結部材と前記第２連結部材とを前記第１結合部材と前記第２結合部材との間に架設し、
前記第１結合部材、前記第２結合部材、前記第１連結部材及び前記第２連結部材を互いの端部で連結させて矩形枠状に組むと共に、相互に電気伝導可能な状態で接続し、
前記第２連結部材は、前記受皿の奥側の起立面に取り付けられる起立面金属プレートにより構成され、
前記受皿には、当該受皿の底面を覆う断面略Ｌ字状の底面金属プレートが取り付けられ、
前記底面金属プレートの後端起立壁と前記起立面金属プレートとを当接させ、
この当接部分の左右両端を止着部材を介して、前記第１結合部材と前記第２結合部材との各々に導通状態で接続したことを特徴としている。
【０００６】
この請求項１記載の発明によれば、第１結合部材、第２結合部材、第１連結部材及び第２連結部材を相互に電気伝導可能な状態で接続し、第２連結部材が受皿の奥側の起立面に取り付けられる起立面金属プレートにより構成され、受皿には、受皿の底面を覆う断面略Ｌ字状の底面金属プレートが取り付けられ、底面金属プレートの後端起立壁と起立面金属プレートとを当接させ、この当接部分の左右両端を止着部材を介して、第１結合部材と第２結合部材との各々に導通状態で接続するようにしたので、放電面積が増え、放電効果が上がる。従って、静電気が原因で遊技機内部の制御装置や電気部品に誤作動や故障等の不具合が生じることを低減することができる。
【０００７】
また、第１連結部材と第２連結部材とを第１結合部材と第２結合部材との間に架設し、第１結合部材、第２結合部材、第１連結部材及び第２連結部材を互いの端部で連結させて矩形枠状に組まれているので、前面枠の周縁部における強度を高めることが可能となる。
【０００８】
また、前面枠上部構成部材と、前面枠下部構成部材と、前面枠上部構成部材と前面枠下部構成部材とを突き合わせた状態で相互に結合する結合手段と、を備えて前面枠を構成するようにしたので、前面枠上部構成部材と前面枠下部構成部材とを別個に成形することが可能となり、前面枠上部構成部材と前面枠下部構成部材とを一体成形する場合に比べて、成形が容易となる。従って、前面枠の製造コストを低減することが可能となる。
【０００９】
しかも、第１結合部材により、前面枠上部構成部材と前面枠下部構成部材とを前面枠裏面側の一方の側部にて上下に結合し、第２結合部材により、前面枠上部構成部材と前面枠下部構成部材とを前面枠裏面側の他方の側部にて上下に結合するようにしたので、前面枠上部構成部材と前面枠下部構成部材との結合部分にかかる負荷を第１結合部材と第２結合部材とで分担することができ、一つの結合部材で前面枠上部構成部材と前面枠下部構成部材とを相互に結合する場合に比べて、前面枠上部構成部材と前面枠下部構成部材との結合強度を向上させることが可能となる。
【００１０】
さらに、第１連結部材により、第１結合部材と第２結合部材とを前面枠上部構成部材の裏面側にて相互に連結し、第２連結部材により、第１結合部材と第２結合部材とを前面枠下部構成部材の前面側にて相互に連結するようにしたので、第１結合部材と第２結合部材との相対位置にズレが生じ難くなる。また、前面枠の剛性を高めることができ、前面枠の曲げに対する強度を高めることができる。
【００１１】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。
なお、前面枠上部構成部材と前面枠下部構成部材との結合に際しては、前面枠上部構成部材と前面枠下部構成部材とを相対的に動かないように結合することが望ましい。
【００１４】
【発明の実施の形態】
以下、この発明の実施の形態について、図１〜図５の図面を参照しながら説明する。
図１は、本発明に係る遊技機の一形態として例示するパチスロ遊技機を示す斜視図である。図２は、図１のパチスロ遊技機の右側面図である。
【００１５】
この実施の形態のパチスロ遊技機１００は、遊技媒体にコインを用いた遊技機であって、その本体枠１には、前面枠２が左端を軸心として片開き形式に開閉自在に取り付けられている。
【００１６】
前面枠２の上半部には、図１に示すように、表示パネル３が取り付けられている。この表示パネル３の背部には、３個のリール４ａ、４ｂ、４ｃが回転自在な状態で配置されており、表示パネル３のほぼ中央には、各リール４ａ、４ｂ、４ｃの外周面に表記されている図柄を３個ずつ視認可能とする透明なリール表示窓部４（表示窓部）が設けられている。
各リール４ａ、４ｂ、４ｃは、コインを賭けた（ベットした）状態でスタートレバー６（後述）が押圧されて所定時間経過するか、或いは対応するストップボタン７ａ、７ｂ、７ｃ（後述）の押圧により順次停止するようになっており、各リール４ａ、４ｂ、４ｃが停止した状態において、リール表示窓部４を通して視認可能な可変表示部４Ａにおける表示結果が予め定められた特定の表示結果態様となった場合（例えば、有効ライン上の図柄が揃った場合など）に、遊技者にとって有利な特定遊技状態（例えば、ボーナスゲームなど）が発生し、該特定遊技状態の発生に関連して、所要数のコインが遊技者に対して付与される（払出装置よりコインが払い出されるか、或いはクレジットとして記憶される）ようになっている。表示パネル３の上部には、可変表示部４Ａにおける可変表示に関連して所定の演出表示を行う演出表示部５が設けられている。
【００１７】
前面枠２の中央段差部２２には、ベットするコインを投入するコイン投入口１５、コインのベット枚数（賭け枚数）を押圧回数によって設定可能な１ベットボタン１０、コインのベット枚数を限度枚数（例えば、３枚）に設定可能なマックスベットボタン９が配設されている。即ち、コイン投入口１５より所要数のコインを投入した状態或いは所要数のコインがクレジットされている状態で、１ベットボタン１０或いはマックスベットボタン９を押圧することで、コインのベット枚数を設定することができ、このベット枚数に応じて有効ライン（有効な表示ライン）のパターンを設定することができる。
【００１８】
前面枠２の下半部には、矩形状の化粧パネル１９が設けられ、この化粧パネル１９の上方には、クレジットされたコインを返却するためのコイン返却スイッチ１８、可変表示部４Ａにおける可変表示を開始する（つまり、各リール４ａ、４ｂ、４ｃの回転を開始する）ためのスタートレバー６、各々のリール４ａ、４ｂ、４ｃの回転を停止させるためのストップボタン７ａ、７ｂ、７ｃ、施錠装置４０（後述）の鍵穴４０ａ等が設けられている。また、化粧パネル１９の下方には、本体枠１に設置された払出装置（図示省略）より払い出されたコインを貯留可能な受皿２３や、灰皿２１などが設けられている。
【００１９】
図３は、前面枠の背面図である。
【００２０】
前面枠２の背部には、図３に示すように、コイン投入口１５より投入されたコインを払出装置に流下案内すると共にコイン投入口１５より投入されたコインが詰まった場合にコインの詰まりを解消してコインを受皿２３へと返却可能な返却機構１６が設置され、この返却機構１６の下方には、返却機構１６より排出されたコインや払出装置から払い出されたコインを受皿２３へと流下案内する誘導樋２４が設けられている。
前面枠２の裏面側の一方の側部には、前面枠２を閉止状態で維持可能な施錠装置４０が取り付けられ、他方の側部には、前面枠２を本体枠１の一側で回動自在に支持する蝶番装置３０が取り付けられている。蝶番装置３０と施錠装置４０は、それぞれ取付板３１、４１を有し、それら取付板３１、４１を介して、前面枠２に取り付けられている。
【００２１】
図４は前面枠の分解斜視図である。
【００２２】
前面枠２は、前面枠上部構成部材として例示する上部ベース部材６０Ａと、前面枠下部構成部材として例示する下部ベース部材６０Ｂと、これら上下のベース部材６０Ａ、６０Ｂを突き合わせた状態で相互に結合する結合手段と、を備えている。
【００２３】
上部ベース部材６０Ａの前面側には、表示パネル３が設置され、該表示パネル３の背部には、リール表示窓部４を避けた状態で、装飾用ＬＥＤや表示用ＬＥＤを実装した各種ＬＥＤ基板が配設されている。また、リール表示窓部４の上方位置には、演出表示部５を構成する表示器が取り付けられ、この表示器の背部には、図３に示すように、装飾系統の中継基板７８が設置されている。また、表示パネル３の周囲には、図１及び図４に示すように、装飾部材６５，６５、６６が取り付けられ、それら装飾部材６５，６５、６６の背部には、装飾用ＬＥＤを実装したＬＥＤ基板、スピーカ７７，７７（図３）等が取り付けられている。
【００２４】
下部ベース部材６０Ｂの上部には、図４に示すように、取付基板６４を介して、前述した、１ベットボタン１０、マックスベットボタン９、コイン投入口１５、スタートレバー６、ストップボタン７ａ、７ｂ、７ｃが組み付けられている。
また、下部ベース部材６０Ｂの前面側中央には、化粧パネル１９が着脱自在に取り付けられている。この化粧パネル１９の左右両側部には、開口部６９ａ，６９ａを介して前方を臨む状態で、装飾部材６３，６３の発光源となる装飾用ＬＥＤ基板６９，６９が設置され、これら装飾用ＬＥＤ基板６９，６９の前方には、上下のベース部材６０Ａ、６０Ｂに跨るようにして、透光性を有する装飾部材６３，６３が取り付けられている。
下部ベース部材６０Ｂの裏面側には、誘導樋２４の一側壁を構成する壁部材２４ａ（図３）が取り付けられ、下部ベース部材６０Ｂの前面側下部には、誘導樋２４の出口となる開口部２４ｂが形成されている。
【００２５】
下部ベース部材６０Ｂの前面側下部には、図４に示すように、起立面金属プレート５１が取り付けられ、該起立面金属プレート５１の前側には、受皿ユニット２０が取り付けられている。
起立面金属プレート５１は、上記開口部２４ｂを避ける状態で下部ベース部材６０Ｂの前面側下部の起立面を覆う起立面被覆部５１ａと、誘導樋２４の出口近傍の傾斜面（床面）を覆う樋出口被覆部５１ｂとを備えている。
受皿ユニット２０は、灰皿２１と受皿２３を有し、その受皿２３の後端に、誘導樋２４の出口（開口部２４ｂ）周辺の起立面金属プレート５１を露出させる開口部２０Ａを備えている。
受皿ユニット２０には、図５に示すように、受皿２３の底面を覆う状態で断面略Ｌ字状の底面金属プレート５２が取り付けられている。この底面金属プレート５２は、その後端起立壁５２ａが起立面金属プレート５１の起立面被覆部５１ａと当接しており、その当接部分の左右両端が、止着部材５３，５３を介して、蝶番装置３０の取付板３１と施錠装置４０の取付板４１の各々に導通状態で接続されている。
【００２６】
結合手段は、前面枠２裏面側の一方の側部にて上下のベース部材６０Ａ、６０Ｂを相互に結合する第１結合部材と、前面枠２裏面側の他方の側部にて上下のベース部材６０Ａ、６０Ｂを相互に結合する第２結合部材と、上部ベース部材６０Ａの裏面側にて第１結合部材と第２結合部材とを相互に連結する第１連結部材と、下部ベース部材６０Ｂの前面側にて第１結合部材と第２結合部材とを相互に連結する第２連結部材と、により構成されている。
この実施の形態では、施錠装置４０の取付板４１により上記第１結合部材が構成され、蝶番装置３０の取付板３１により上記第２結合部材が構成され、上部金属プレート３４により上記第１連結部材が構成され、受皿２３の起立面金属プレート５１により上記第２連結部材が構成されている。
【００２７】
即ち、図２〜図４に示すように、前面枠２裏面側の一方の側部には、上下のベース部材６０Ａ、６０Ｂに跨るようにして蝶番装置３０の取付板３１が取り付けられ、他方の側部には、上下のベース部材６０Ａ、６０Ｂに跨るようにして施錠装置４０の取付板４１が取り付けられている。
また、蝶番装置３０の取付板３１と施錠装置４０の取付板４１との間には、図３に示すように、上部金属プレート３４が架設され、この上部金属プレート３４により、取付板３１、４１が上部ベース部材６０Ａの裏面側にて相互に連結されている。同様に、蝶番装置３０の取付板３１と施錠装置４０の取付板４１との間には、起立面金属プレート５１が架設され、この起立面金属プレート５１により、取付板３１、４１が下部ベース部材６０Ｂの前面側にて相互に連結されている。
【００２８】
施錠装置４０の取付板４１と蝶番装置３０の取付板３１の各々は、図２及び図３に示すように、前面枠２の下端から上端に至る金属製の板状部材により構成される一方、上部金属プレート３４と起立面金属プレート５１の各々は、前面枠２の右端から左端に至る板状部材により構成されている。そして、それら板状部材は、互いの端部で連結されて、矩形枠状に組まれている
即ち、取付板３１は、その上端に設けられた取付穴３１ｂから、上部金属プレート３４の一端に設けられた取付穴（図には現れない）に向けて止着部材を通すことで上部金属プレート３４と連結されており、取付板４１は、その上端に設けられた取付穴４１ｂから、上部金属プレート３４の他端に設けられた取付穴（図には現れない）に向けて止着部材を通すことで上部金属プレート３４と連結されている。また、取付板３１は、図５に示すように、その下端に設けられた取付穴３１ｃから、下部ベース部材６０Ｂの貫通穴５３ａ、起立面金属プレート５１の一端に設けられた取付穴５１ｃ、底面金属プレート５２の一端に設けられた取付穴５２ｃの順に、止着部材５３を通すことで、各金属プレート５１、５２と連結されている。同様に、取付板４１は、その下端に設けられた取付穴４１ｃから、下部ベース部材６０Ｂの貫通穴５３ａ、起立面金属プレート５１の他端に設けられた取付穴５１ｃ、底面金属プレート５２の他端に設けられた取付穴５２ｃの順に、止着部材５３を通すことで、各金属プレート５１、５２と連結されている。即ち、各取付板３１、４１と、起立面金属プレート５１とは、下部ベース部材６０Ｂを間に挟んだ状態で連結されている。
【００２９】
また、施錠装置４０の取付板４１と蝶番装置３０の取付板３１の各々は、複数の通し穴３１ａ，…、４１ａ，…を備え、それら通し穴３１ａ，…、４１ａ，…からベース部材６０Ａ、６０Ｂの取付穴（図には現れない）に向けて、止着部材を通すことによって、上下のベース部材６０Ａ、６０Ｂに止着されている。各通し穴３１ａ，…、４１ａ，…は、止着部材の軸径より大きい内径を有していて、上下のベース部材６０Ａ、６０Ｂの成形誤差を吸収し得るように構成されている。
【００３０】
以上のように、この実施の形態のパチスロ遊技機１００によれば、上部ベース部材６０Ａ（前面枠上部構成部材）と、下部ベース部材６０Ｂ（前面枠下部構成部材）と、これら上下のベース部材６０Ａ、６０Ｂを突き合わせた状態で相互に結合する結合手段（蝶番装置３０の取付板３１、施錠装置４０の取付板４１、受皿２３の起立面金属プレート５１、上部金属プレート３４）と、を含んで前面枠２を構成するようにしたので、上下のベース部材６０Ａ、６０Ｂを別個に成形することが可能となり、上下のベース部材６０Ａ、６０Ｂを一体成形する場合（つまり、従来のように、ベース部材を一つの成形品として成形する場合）に比べて、成形が容易となる。即ち、ベース部材の成形に際してアンダーカットとなる部分を減少させることが可能となり、成形金型の構造を従来より簡素化することが可能となる。従って、従来と比べ、前面枠２の製造コストを低減することが可能となる。
【００３１】
しかも、施錠装置４０の取付板４１（第１結合部材）により、上下のベース部材６０Ａ、６０Ｂを前面枠２裏面側の一方の側部にて上下に結合し、蝶番装置３０の取付板３１（第２結合部材）により、上下のベース部材６０Ａ、６０Ｂを前面枠２裏面側の他方の側部にて上下に結合するようにしたので、上下のベース部材６０Ａ、６０Ｂの結合部分にかかる負荷を両取付板３１、４１で分担することができ、一つの結合部材で上下のベース部材６０Ａ、６０Ｂを相互に結合する場合に比べて、上下のベース部材６０Ａ、６０Ｂの結合強度を向上させることが可能となる。
また、上部金属プレート３４（第１連結部材）により、両取付板３１、４１を上部ベース部材６０Ａの裏面側にて相互に連結し、受皿２３の起立面金属プレート５１（第２連結部材）により、両取付板３１、４１を下部ベース部材６０Ｂの前面側にて相互に連結するようにしたので、両取付板３１、４１の相対位置にズレが生じ難くなる。また、取付板３１、４１、起立面金属プレート５１、上部金属プレート３４を設けたことで、前面枠２の剛性を高めることができ、前面枠２の曲げに対する強度を高めるができる。
【００３２】
また、取付板３１、４１、起立面金属プレート５１、底面金属プレート５２、上部金属プレート３４が、何れも金属により形成されて相互に接続された状態となっているので、放電面積が増え、コイン等から放出される静電気を放電し易くなる。従って、静電気が原因で遊技機内部の制御装置や電気部品に誤作動や故障等の不具合が生じることを低減することができる。また、起立面金属プレート５１や底面金属プレート５２に、コインから放出される静電気が蓄積され難くなる。
【００３３】
また、取付板３１、４１の各々は、前面枠２の下端から上端に至る板状部材により構成される一方、上部金属プレート３４と起立面金属プレート５１の各々は、前面枠２の右端から左端に至る板状部材により構成され、それら板状部材が、互いの端部で連結されて、矩形枠状に組まれているので、前面枠２の周縁部における強度を高めることが可能となる。従って、前面枠２の周縁部における破損等を防止できる。
また、取付板３１、４１の各々には、止着部材を通す通し穴として、止着部材の軸径より大きい内径を有する通し穴３１ａ，…、４１ａ，…が予め設けられ、該通し穴３１ａ，…、４１ａ，…により、上下のベース部材６０Ａ、６０Ｂの成形誤差を吸収し得るように構成されているので、取付板３１、４１の各々を、上下のベース部材６０Ａ、６０Ｂに取り付けるのが容易となる。
【００３４】
なお、本発明はこの実施の形態のパチスロ遊技機１００に限られるものではなく、例えば、その他のパチスロ遊技機やスロットマシーン、或いはパチンコ遊技機、アレンジボール遊技機、雀球遊技機などの弾球遊技機にも適用可能である。
また、この実施の形態では、第１結合部材として施錠装置４０の取付板４１を、第２結合部材として蝶番装置３０の取付板３１を、それぞれ例示したが、これに限定されるものではなく、例えば、取付板３１、４１以外の部材を別途、第１結合部材や第２結合部材として設けるようにしてもよい。同様に、上部金属プレート３４、起立面金属プレート５１以外の部材を別途、第１連結部材、第２連結部材として設けるようにしてもよい。
また、この実施の形態では、第１結合部材、第２結合部材、第１連結部材、第２連結部材を何れも板状部材により構成するようにしたが、例えば、棒状部材、筒状部材など、所望の強度を発揮することが可能であれば、如何なる形状の部材であってもよい。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３５】
【発明の効果】
請求項１記載の発明によれば、放電面積が増え、放電効果が上がる。従って、静電気が原因で遊技機内部の制御装置や電気部品に誤作動や故障等の不具合が生じることを低減することができる。
また、第１連結部材と第２連結部材とを第１結合部材と第２結合部材との間に架設し、第１結合部材、第２結合部材、第１連結部材及び第２連結部材を互いの端部で連結させて矩形枠状に組まれているので、前面枠の周縁部における強度を高めることが可能となる。
また、前面枠上部構成部材と前面枠下部構成部材とを別個に成形することが可能となり、前面枠上部構成部材と前面枠下部構成部材とを一体成形する場合に比べて、成形が容易となる。従って、前面枠の製造コストを低減することが可能となる。
しかも、前面枠上部構成部材と前面枠下部構成部材との結合部分にかかる負荷を第１結合部材と第２結合部材とで分担することができ、一つの結合部材で前面枠上部構成部材と前面枠下部構成部材とを相互に結合する場合と比べて、前面枠上部構成部材と前面枠下部構成部材との結合強度を向上させることが可能となる。
さらに、第１連結部材により、第１結合部材と第２結合部材とを前面枠上部構成部材の裏面側にて相互に連結し、第２連結部材により、第１結合部材と第２結合部材とを前面枠下部構成部材の前面側にて相互に連結するようにしたので、第１結合部材と第２結合部材との相対位置にズレが生じ難くなる。また、前面枠の剛性を高めることができ、前面枠の曲げに対する強度を高めることができる。
【図面の簡単な説明】
【図１】本発明に係る遊技機の一形態として例示するパチスロ遊技機を示す斜視図である。
【図２】図１のパチスロ遊技機の右側面図である。
【図３】図１のパチスロ遊技機の背面図である。
【図４】図１のパチスロ遊技機に備わる前面枠の分解斜視図である。
【図５】図１のパチスロ遊技機に備わる底面金属プレートと起立面金属プレートとの接続状態を説明する断面図である。
【符号の説明】
１    本体枠
２    前面枠
４    表示窓部（リール表示窓部）
２３    受皿
３０    蝶番装置
３１    取付板（第２結合部材、結合手段）
３４    上部金属プレート（第１連結部材、結合手段）
４０    施錠装置
４１    取付板（第１結合部材、結合手段）
５１    起立面金属プレート（第２連結部材、結合手段）
５２    底面金属プレート
５２ａ    後端起立壁
５３    止着部材
６０Ａ  上部ベース部材（前面枠上部構成部材）
６０Ｂ  下部ベース部材（前面枠下部構成部材）
１００  パチスロ遊技機（遊技機）
【図１】
0003986734.tif 000002
【図２】
0003986734.tif 000003
【図３】
0003986734.tif 000004
【図４】
0003986734.tif 000005
【図５】
0003986734.tif 000006